(57)【要約】【課題】処理を指示したユーザが処理の状況を適切に把握できるようにする。【解決手段】複数の処理が実行可能な画像処理装置と、画像処理装置のリモート操作が可能なリモート端末と、を含む画像処理システムであって、画像処理装置が備える操作部からの指示により、画像処理装置で処理を実行する場合は、画像処理装置の制御部は、操作部から指示された処理に応じた通知を自装置の出力部から出力させ、リモート端末からの指示により、画像処理装置で処理を実行する場合は、リモート端末の制御部は、リモート端末から指示された処理に応じた通知を自端末の出力部から出力させ、かつ、画像処理装置の制御部は、リモート端末から指示された処理に応じた通知を自装置の出力部から出力させない、又は、リモート端末の制御部は、リモート端末から指示された処理以外の処理に応じた通知を自端末の出力部から出力させない。【選択図】図７
2014192703.tif 000002
【特許請求の範囲】
【請求項１】
複数の処理が実行可能であり、各々の処理に応じた通知を出力する出力部を有する画像処理装置と、前記画像処理装置のリモート操作が可能であり、前記通知を出力する出力部を有するリモート端末と、を含む画像処理システムであって、
前記画像処理装置が備える操作部からの指示により、前記画像処理装置で処理を実行する場合は、
前記画像処理装置の制御部は、前記操作部から指示された処理に応じた通知を自装置の前記出力部から出力させ、
前記リモート端末からの指示により、前記画像処理装置で処理を実行する場合は、
前記リモート端末の制御部は、前記リモート端末から指示された処理に応じた通知を自端末の前記出力部から出力させ、
かつ、前記画像処理装置の制御部は、前記リモート端末から指示された処理に応じた通知を自装置の前記出力部から出力させない、又は、前記リモート端末の制御部は、前記リモート端末から指示された処理以外の処理に応じた通知を自端末の前記出力部から出力させない、
ことを特徴とする画像処理システム。
【請求項２】
前記画像処理装置で複数の処理を同時並列で実行する場合、
前記画像処理装置の制御部は、前記リモート端末から指示された処理以外の処理に応じた通知を自装置の前記出力部から出力させる、
ことを特徴とする請求項１に記載の画像処理システム。
【請求項３】
前記画像処理装置が複数の前記リモート端末によってリモート操作されている場合、
各々の前記リモート端末の制御部は、自端末から指示した処理に応じた通知のみを自端末の前記出力部から出力させる、
ことを特徴とする請求項１又は２に記載の画像処理システム。
【請求項４】
前記画像処理装置の制御部は、自装置の操作画面の情報を前記リモート端末に送信し、
前記リモート端末の制御部は、前記操作画面に対するユーザの操作に従って、前記画像処理装置をリモート操作する、
ことを特徴とする請求項１乃至３のいずれか一に記載の画像処理システム。
【請求項５】
前記処理に応じた通知の出力とは、前記処理に応じた音の出力、及び／又は、前記処理に応じた画面の表示である、
ことを特徴とする請求項１乃至４のいずれか一に記載の画像処理システム。
【請求項６】
前記処理に応じた音は、操作音、ファクシミリ通信音、処理の完了通知音、音声ガイダンスのいずれかである、
ことを特徴とする請求項５に記載の画像処理システム。
【請求項７】
複数の処理が実行可能であり、各々の処理に応じた通知を出力する出力部を有する画像処理装置であって、当該画像処理装置に対するリモート操作のためのリモート端末と接続可能な画像処理装置において、
自装置が備える操作部からの指示により処理を実行する場合は、
制御部は、前記操作部から指示された処理に応じた通知を前記出力部から出力させ、
前記リモート端末からの指示により処理を実行する場合は、
前記制御部は、前記リモート端末から指示された処理に応じた通知を前記リモート端末に出力させ、前記リモート端末から指示された処理に応じた通知を自装置が有する前記出力部から出力させない、
ことを特徴とする画像処理装置。
【請求項８】
複数の処理を同時並列で実行している場合、
前記制御部は、前記リモート端末から指示された処理以外の処理に応じた通知を前記出力部から出力させる、
ことを特徴とする請求項７に記載の画像処理装置。
【請求項９】
複数の前記リモート端末によってリモート操作されている場合、
前記制御部は、処理を指示した前記リモート端末に、当該処理に応じた通知のみを転送する、
ことを特徴とする請求項７又は８に記載の画像処理装置。
【請求項１０】
前記制御部は、自装置の操作画面の情報を前記リモート端末に送信し、前記操作画面を用いたリモート操作を受け付ける、
ことを特徴とする請求項７乃至９のいずれか一に記載の画像処理装置。
【請求項１１】
前記処理に応じた通知の出力とは、前記処理に応じた音の出力、及び／又は、前記処理に応じた画面の表示である、
ことを特徴とする請求項７乃至１０のいずれか一に記載の画像処理装置。
【請求項１２】
前記処理に応じた音は、操作音、ファクシミリ通信音、処理の完了通知音、音声ガイダンスのいずれかである、
ことを特徴とする請求項１１に記載の画像処理装置。
【請求項１３】
複数の処理が実行可能であり、各々の処理に応じた通知を出力する出力部を有する画像処理装置をリモート操作するリモート端末であって、
自端末からの指示により、前記画像処理装置で処理が実行される場合は、
制御部は、前記指示した処理に応じた通知を前記画像処理装置から取得し、前記指示した処理に応じた通知を前記出力部から出力させる、
ことを特徴とするリモート端末。
【請求項１４】
前記画像処理装置で複数の処理が同時並列で実行される場合、
前記制御部は、自端末から指示した処理以外の処理に応じた通知を前記出力部から出力させない、
ことを特徴とする請求項１３に記載のリモート端末。
【請求項１５】
前記制御部は、前記画像処理装置から操作画面の情報を取得し、前記操作画面に対するユーザの操作に従って、前記画像処理装置をリモート操作する、
ことを特徴とする請求項１３又は１４に記載のリモート端末。
【請求項１６】
前記処理に応じた通知の出力とは、前記処理に応じた音の出力、及び／又は、前記処理に応じた画面の表示である、
ことを特徴とする請求項１３乃至１５のいずれか一に記載のリモート端末。
【請求項１７】
前記処理に応じた音は、操作音、ファクシミリ通信音、処理の完了通知音、音声ガイダンスのいずれかである、
ことを特徴とする請求項１６に記載のリモート端末。
【発明の詳細な説明】
【技術分野】
【０００１】
本発明は、処理に応じた音の出力や画面の表示が可能な画像処理装置と当該画像処理装置のリモート操作が可能なリモート端末とを含む画像処理システムに関する。
【背景技術】
【０００２】
ファクシミリ（以下、ＦＡＸと記す。）装置やＭＦＰ（Multi Function Peripheral）などの画像処理装置では、処理に応じた音（例えば、ＦＡＸ通信音や操作音、処理の完了通知音、音声ガイダンスなど）を出力したり、処理に応じた画面（例えば、ＦＡＸ通信画面や印刷画面など）を表示したりすることにより、処理の状況をユーザが把握できるようにしている。
【０００３】
また、近年の画像処理装置は、スマートフォンやタブレット端末などの端末（以下、リモート端末と呼ぶ。）によるリモート操作を可能にする機能も搭載されており、画像処理装置とリモート端末とを無線ＬＡＮ（Local Area Network）などを介して接続することにより、離れた場所に設置された画像処理装置をリモート操作することができる。
【０００４】
上記リモート操作に関する技術ではないが、複数の装置がＬＡＮを介して接続されたシステムの制御に関する技術として、例えば、下記特許文献１には、留守番電話機能およびＩＳＤＮ端末機能を有するサーバーと、コーデック変換機能および音声信号をスピーカに出力せしめる機能を有するクライアント端末とを備え、前記サーバーが受信した音声メッセージを、ＬＡＮを介して前記クライアント端末にメールし、この音声メッセージをクライアント端末のスピーカから出力せしめるようにしたＬＡＮシステムが開示されている。
【先行技術文献】
【特許文献】
【０００５】
【特許文献１】特開平５−２４４２９２号公報
【発明の概要】
【発明が解決しようとする課題】
【０００６】
特許文献１の技術は、サーバーが受信した音声をクライアント端末から出力するものであり、リモート端末が指示した処理に応じて画像処理装置から出力される音をリモート端末で再生するものではない。そのため、リモート端末を操作するユーザは画像処理装置で実行される処理の状況（ＦＡＸ通信が正常に開始されたか、正常に終了したかなど）を把握することができず、画像処理装置の近くで音を確認するなどの手間が生じる。
【０００７】
また、画面の表示に関しても同様であり、リモート端末が指示した処理に応じて画像処理装置に表示される画面をリモート端末に表示することができないため、リモート端末を操作するユーザは画像処理装置で実行される処理の状況（ＦＡＸ通信がどの程度進行しているかなど）を把握することができず、画像処理装置の近くで画面を確認するなどの手間が生じる。
【０００８】
また、複数の処理が同時並行に実行可能な画像処理装置において、処理の内容や種類に関わらず、処理に応じた音の出力や画面の表示を画像処理装置又はリモート端末の一方で行ったり、各々の処理に応じた音の出力や画面の表示を画像処理装置及びリモート端末の双方で行ったりすると、処理を指示した装置側（画像処理装置またはリモート端末）で処理の状況を適切に把握することができなくなってしまうという問題も生じる。
【０００９】
本発明は、上記問題点に鑑みてなされたものであって、その主たる目的は、処理を指示したユーザが処理の状況を適切に把握することができる画像処理システム及び画像処理装置並びにリモート端末を提供することにある。
【課題を解決するための手段】
【００１０】
本発明の一側面は、複数の処理が実行可能であり、各々の処理に応じた通知を出力する出力部を有する画像処理装置と、前記画像処理装置のリモート操作が可能であり、前記通知を出力する出力部を有するリモート端末と、を含む画像処理システムであって、前記画像処理装置が備える操作部からの指示により、前記画像処理装置で処理を実行する場合は、前記画像処理装置の制御部は、前記操作部から指示された処理に応じた通知を自装置の前記出力部から出力させ、前記リモート端末からの指示により、前記画像処理装置で処理を実行する場合は、前記リモート端末の制御部は、前記リモート端末から指示された処理に応じた通知を自端末の前記出力部から出力させ、かつ、前記画像処理装置の制御部は、前記リモート端末から指示された処理に応じた通知を自装置の前記出力部から出力させない、又は、前記リモート端末の制御部は、前記リモート端末から指示された処理以外の処理に応じた通知を自端末の前記出力部から出力させないことを特徴とする。
【００１１】
本発明の一側面は、複数の処理が実行可能であり、各々の処理に応じた通知を出力する出力部を有する画像処理装置であって、当該画像処理装置に対するリモート操作のためのリモート端末と接続可能な画像処理装置において、自装置が備える操作部からの指示により処理を実行する場合は、制御部は、前記操作部から指示された処理に応じた通知を前記出力部から出力させ、前記リモート端末からの指示により処理を実行する場合は、前記制御部は、前記リモート端末から指示された処理に応じた通知を前記リモート端末に出力させ、前記リモート端末から指示された処理に応じた通知を自装置が有する前記出力部から出力させないことを特徴とする。
【００１２】
本発明の一側面は、複数の処理が実行可能であり、各々の処理に応じた通知を出力する出力部を有する画像処理装置をリモート操作するリモート端末であって、自端末からの指示により、前記画像処理装置で処理が実行される場合は、制御部は、前記指示した処理に応じた通知を前記画像処理装置から取得し、前記指示した処理に応じた通知を前記出力部から出力させることを特徴とする。
【発明の効果】
【００１３】
本発明の画像処理システム及び画像処理装置並びにリモート端末によれば、処理を指示したユーザが処理の状況を適切に把握することができる。
【００１４】
その理由は、画像処理装置からの指示により画像処理装置で処理を実行する場合は、指示された処理に応じた通知の出力を画像処理装置上で行い、リモート端末からの指示により画像処理装置で処理を実行する場合は、指示された処理に応じた通知の出力をリモート端末上で行い、かつ、指示された処理に応じた通知の出力を画像処理装置上で行わない、又は、指示された処理以外の処理に応じた通知の出力をリモート端末上で行わないようにするからである。また、複数の処理が実行される場合に、リモート端末から指示された処理以外の処理に応じた通知の出力を画像処理装置上で行ったり、複数のリモート端末によってリモート操作される場合に、自端末から指示した処理に応じた通知の出力のみをそのリモート端末上で行ったりするからである。
【図面の簡単な説明】
【００１５】
【図１】本発明の第１の実施例に係る画像処理システムの構成を模式的に示す図である。
【図２】本発明の第１の実施例に係る画像処理装置の構成を示すブロック図である。
【図３】本発明の第１の実施例に係るリモート端末の構成を示すブロック図である。
【図４】本発明の第１の実施例に係るリモート端末の処理を示すフローチャート図である。
【図５】本発明の第１の実施例に係る画像処理装置の処理を示すフローチャート図である。
【図６】本発明の第１の実施例に係るリモート端末の処理を模式的に示す図である。
【図７】本発明の第１の実施例に係る画像処理装置の処理を模式的に示す図である。
【図８】本発明の第２の実施例に係るリモート端末の処理を示すフローチャート図である。
【図９】本発明の第２の実施例に係る画像処理装置の処理を示すフローチャート図である。
【図１０】本発明の第２の実施例に係るリモート端末の処理を模式的に示す図である。
【図１１】本発明の第２の実施例に係る画像処理装置の処理を模式的に示す図である。
【図１２】本発明の第２の実施例に係る画像処理システムの他の処理を模式的に示す図である。
【発明を実施するための形態】
【００１６】
背景技術で示したように、リモート端末を用いることにより、離れた場所に設置された画像処理装置をリモート操作（離れた位置からの遠隔操作）することができる。しかしながら、リモート端末側では、リモート端末から指示した処理に応じた音の出力や画面の表示が行われないため、ユーザは画像処理装置の近くに行って音や画面を確認しなければ処理の状況を把握することができない。
【００１７】
また、複数の処理が同時並行に実行可能な画像処理装置において、全ての処理に応じた音の出力や画面の表示を画像処理装置又はリモート端末の一方で行ったり、各々の処理に応じた音の出力や画面の表示を画像処理装置及びリモート端末の双方で行ったりすると、処理を指示した装置側（画像処理装置またはリモート端末）で処理の状況を適切に把握することができなくなってしまう。
【００１８】
そこで、本発明の一実施の形態では、画像処理装置は、処理が指示された場合に、画像処理装置からの指示であるかリモート端末からの指示であるかを判別し、画像処理装置からの指示の場合は、指示された処理に応じて生成される情報（通知音や通知画面（単なるメッセージも含む）などであり、これらを総称して通知と呼ぶ。）の出力を画像処理装置側で行い、リモート端末からの指示の場合は、指示された処理に応じた通知の出力をリモート端末側で行うようにする。また、リモート端末からの指示の場合は、指示された処理に応じた通知の出力を画像処理装置側で行わないようにしたり、指示された処理以外の処理に応じた通知の出力をリモート端末側で行わないようにしたりする。
【００１９】
これにより、リモート端末では、自端末から指示した処理に応じて出力される音や表示される画面を、自端末上で確認することができるため、画像処理装置から離れた場所で画像処理装置をリモート操作する場合であっても、自端末から指示した処理に応じて画像処理装置で実行される処理の状況を確実に把握することができる。また、リモート端末から指示した処理に応じた音の出力や画面の表示が画像処理装置上では行われないか、リモート端末から指示した処理以外の処理に応じた音の出力や画面の表示がリモート端末側では行われないため、処理の混合を防止して、処理の状況を適切に把握することができる。
【実施例１】
【００２０】
上記した本発明の実施の形態についてさらに詳細に説明すべく、本発明の第１の実施例に係る画像処理システム及び画像処理装置並びにリモート端末について、図１乃至図７を参照して説明する。図１は、本実施例の画像処理システムの構成を模式的に示す図であり、図２は、本実施例の画像処理装置の構成を示すブロック図、図３は、本実施例のリモート端末の構成を示すブロック図である。また、図４及び図５は、リモート端末及び画像処理装置の処理を示すフローチャート図であり、図６及び図７は、リモート端末及び画像処理装置の処理を模式的に示す図である。
【００２１】
図１に示すように、本実施例の画像処理システムは、リモート操作の対象となる装置（本実施例では、ＦＡＸ装置やＭＦＰなどの画像処理装置１０とする。）と、リモート操作を行う１又は複数の端末（リモート端末３０と呼ぶ。）と、を備えており、画像処理装置１０と１又は複数のリモート端末３０とは、イーサネット（登録商標）、トークンリング、ＦＤＤＩ（Fiber-Distributed Data Interface）等の規格により定められる無線ＬＡＮ等の通信ネットワークを介して接続されている。なお、図１では、画像処理装置１０と１又は複数のリモート端末３０とが通信ネットワークを介して直接、接続される構成を示しているが、画像処理装置１０と１又は複数のリモート端末３０とがルータなどを介して接続される構成としてもよい。以下、各装置について説明する。
【００２２】
［画像処理装置］
図２に示すように、本実施例の画像処理装置１０は、ＣＰＵ（Central Processing Unit）１１、ＲＯＭ（Read Only Memory）１２、ＲＡＭ（Random Access Memory）１３、記憶部１４、ネットワークＩ／Ｆ部１５、補助記憶装置Ｉ／Ｆ部１６、無線ＬＡＮモジュール１７、読取部１８、画像処理部１９、ファクシミリ部２０、表示部２１、操作部２２、スピーカ２３などで構成される。
【００２３】
ＣＰＵ１１は、制御プログラムをＲＯＭ１２やＨＤＤ（Hard Disk Drive）などの記憶部１４から読み出し、ＲＡＭ１３に展開して実行する。特に、本実施例では、画像処理装置１０に接続される端末で実行されるＷｅｂブラウザ上で画像処理装置１０の操作を可能にするＷｅｂサービスを提供するＷｅｂアプリケーションをＲＯＭ１２や記憶部１４から読み出し、ＲＡＭ１３に展開して実行することにより、画像処理装置１０がＷｅｂサーバとしても機能する。
【００２４】
上記ＣＰＵ１１とＲＯＭ１２とＲＡＭ１３と記憶部１４などで制御部が構成され、制御部は、ユーザが画像処理装置１０を操作するための画面（以下、ＵＩ（User Interface）操作画面と呼ぶ。）を生成し、その画面を自装置の表示部２１やリモート端末３０の表示部に表示させ、ＵＩ操作画面による操作を受け付ける。そして、操作を受け付けた時に、その操作が、自装置に表示したＵＩ操作画面による操作であるか、リモート端末３０に表示されたＵＩ操作画面による操作であるかを判別し、自装置に表示したＵＩ操作画面による操作であると判断した場合は、処理に応じた音や声を自装置のスピーカ２３から出力させ、リモート端末３０のＵＩ操作画面による操作であると判断した場合は、処理に応じた音や声のデータ（以下、音データと呼ぶ。）をリモート端末３０に転送し、必要に応じて、自装置のスピーカ２３の出力設定をＯＦＦにする制御などを行う。
【００２５】
ネットワークＩ／Ｆ部１５は、電話回線に接続するためのＦＡＸ通信モデムなどで構成され、ＦＡＸデータ通信のための信号の変調／復調処理などを実施する。
【００２６】
補助記憶装置Ｉ／Ｆ部１６は、必要に応じて、外部の記憶装置との接続を行う。
【００２７】
無線ＬＡＮモジュール１７は、ＮＩＣ（Network Interface Card）などで構成され、リモート端末３０とのネットワーク通信を可能にする。そして、上記ＵＩ操作画面の情報や画像処理装置１０で実行する処理に応じた音データなどをリモート端末３０に送信したり、リモート端末３０からＵＩ操作画面の操作情報などを受信したりする。なお、本実施例では、画像処理装置１０とリモート端末３０とを無線ＬＡＮで接続する構成とするが、接続方法は無線ＬＡＮに限定されず、近距離無線通信規格の１つであるBluetooth（登録商標）などを用いることもできる。その場合は、無線ＬＡＮモジュール１７に代えて、Bluetooth（登録商標）通信モジュールなどを利用すればよい。
【００２８】
読取部１８は、原稿台上の原稿から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００２９】
画像処理部１９は、リモート端末３０や他のクライアント端末から受信した文書データの各ページのデータをラスタライズして画像データに変換したり、読取部１８により読み取られた画像データや、印刷ジョブに基づいてラスタライズされた画像データに対し、エッジ強調処理や、スムージング処理、色変換処理等の画像処理を行ったりする。
【００３０】
ファクシミリ部２０は、ＦＡＸ通信制御、受信した画像データのコーデック／デコーデック処理などを実施する。また、画像処理装置１０が、ＭＦＰの一部として構成されている場合は、ＭＦＰ本体との通信制御などを実施する。
【００３１】
表示部２１は、ＬＣＤ（Liquid Crystal Display）などで構成され、ＵＩ操作画面やスピーカ２３の出力設定画面などを表示する。操作部２２は、ハードキーや表示部２１上に形成された格子状の透明電極からなるタッチセンサなどで構成され、画像処理装置１０に実行させる処理の指示やスピーカ２３の出力設定などに関するユーザ操作の受付を可能にする。
【００３２】
スピーカ２３は、通知（本実施例では音や声）を出力する出力部であり、画像処理装置１０で実行する処理に応じた音や声（例えば、ＦＡＸ通信音や操作音、処理の完了通知音、音声ガイダンスなど）を出力する。
【００３３】
［リモート端末］
図３に示すように、本実施例のリモート端末３０は、ＣＰＵ３１、ＲＯＭ３２、ＲＡＭ３３、記憶部３４、無線ＬＡＮモジュール３５、表示部３６、操作部３７、スピーカ３８などで構成される。
【００３４】
ＣＰＵ３１は、制御プログラムをＲＯＭ３２やＨＤＤなどの記憶部３４から読み出し、ＲＡＭ３３に展開して実行する。特に、本実施例では、Ｗｅｂブラウザ上で画像処理装置１０の操作を可能にするＷｅｂアプリケーションをＲＯＭ３２や記憶部３４から読み出し、ＲＡＭ３３に展開して実行することにより、Ｗｅｂクライアントとしても機能する。
【００３５】
上記ＣＰＵ３１とＲＯＭ３２とＲＡＭ３３と記憶部３４などで制御部が構成され、制御部は、画像処理装置１０から音データを受信したら、その音データに基づく音をスピーカ３８から出力させる制御などを行う。
【００３６】
無線ＬＡＮモジュール３５は、ＮＩＣなどで構成され、画像処理装置１０との通信を可能にする。そして、画像処理装置１０からＵＩ操作画面情報や音データなどを受信したり、ＵＩ操作画面の操作情報などを画像処理装置１０に送信したりする。なお、上述したように、画像処理装置１０とリモート端末３０との接続方法は無線ＬＡＮに限定されず、Bluetooth（登録商標）などを用いることもできる。その場合は、無線ＬＡＮモジュール３５に代えて、Bluetooth（登録商標）通信モジュールなどを利用すればよい。
【００３７】
表示部３６は、ＬＣＤなどで構成され、リモート端末３０で動作するアプリケーションの一覧画面、画像処理装置１０をリモート操作するＵＩ操作画面などを表示する。操作部３７は、ハードキーや表示部３６上に形成された格子状の透明電極からなるタッチセンサなどで構成され、上記一覧画面でのアプリケーションの選択、ＵＩ操作画面での画像処理装置１０に実行させる処理の指示などを可能にする。
【００３８】
スピーカ３８は、通知（本実施例では音や声）を出力する出力部であり、画像処理装置１０から送信された音データに基づいて、画像処理装置１０で実行している処理に応じた音や声（例えば、ＦＡＸ通信音や操作音、処理の完了通知音、音声ガイダンスなど）を発音する。
【００３９】
なお、図２及び図３の構成は一例であり、画像処理装置１０とリモート端末３０とが無線を介して通信可能であり、画像処理装置１０及びリモート端末３０にスピーカを備え、画像処理装置１０のスピーカで出力される音が、リモート端末３０で出力可能な構成であればよい。
【００４０】
以下、本実施例の画像処理システムの動作について説明する。まず、本実施例のリモート端末３０の動作について、図４のフローチャート図及び図６の模式図を参照して説明する。リモート端末３０の制御部は、ＣＰＵ３１がＲＯＭ３２やＨＤＤなどの記憶部３４に記憶された制御プログラムを実行することにより、図４のフローチャートに示す処理を実現する。
【００４１】
ユーザは、操作部３７を操作して、画像処理装置用のアプリケーションを起動させる。例えば、図６（ａ）に示すようなアプリケーション一覧画面を表示部３６表示させ、ユーザはその中から画像処理装置１０のイラスト（図の○で囲んだイラスト）を選択する。すると、リモート端末３０の制御部は、画像処理装置用のアプリケーションを起動させる（Ｓ１０１のＹｅｓ）。
【００４２】
次に、図６（ｂ）に示すように、制御部は、無線ＬＡＮモジュール３５を用いて、画像処理装置１０との無線接続を行う（Ｓ１０２）。そして、図６（ｃ）に示すように、制御部は、画像処理装置１０からＵＩ操作画面の情報を取得して、表示部３６にＵＩ操作画面を表示させ（Ｓ１０３）、ユーザは、ＵＩ操作画面を操作して、画像処理装置１０のリモート操作（例えば、ＦＡＸ送信など）を実施する。その際、制御部は、リモート操作で指示した処理に応じた音データを画像処理装置１０から取得し、その音データに基づく音や声をスピーカ３８から出力させる。具体的には、リモート操作によりＦＡＸ送信が指示された場合には、制御部は、その指示に基づいて画像処理装置１０で処理されるＦＡＸ通知音の音データを画像処理装置１０から取得し、スピーカ３８から出力させる。その後、画像処理装置１０のリモート操作が終了したら、制御部は、画像処理装置１０との無線接続を解除し（Ｓ１０４）、一連の処理を終了する。
【００４３】
なお、画像処理装置１０との無線接続を解除するタイミングとして、ＵＩ操作画面に操作終了を指示するスイッチやアプリケーションの一覧画面に戻るスイッチを配置し、そのスイッチが操作されたら画像処理装置１０との無線接続を解除するようにしてもよいし、予め定めた所定時間、リモート操作が行われなかったら画像処理装置１０との無線接続を解除するようにしてもよい。
【００４４】
次に、本実施例の画像処理装置１０の動作について、図５のフローチャート図及び図７の模式図を参照して説明する。画像処理装置１０の制御部は、ＣＰＵ１１がＲＯＭ１２やＨＤＤなどの記憶部１４に記憶された制御プログラムを実行することにより、図５のフローチャートに示す処理を実現する。
【００４５】
画像処理装置１０の制御部は、リモート端末３０との無線接続を行い（図示省略）、ＵＩ操作画面の操作を検知したら、そのＵＩ操作がリモート端末３０のＵＩ操作画面上での操作であるかを判断し（Ｓ２０１）、ＵＩ操作が自装置の表示部２１のＵＩ操作画面上での操作であれば、そのＵＩ操作に応じた処理を実行する。その際、図７（ａ）に示すように、待機状態（リモート端末３０との無線接続待ちの状態）では画像処理装置１０のスピーカ２３の出力設定はＯＮになっており、その出力設定は維持されているため、図７（ｂ）に示すように、自装置の表示部２１でのＵＩ操作に応じた処理を実行する際に出力される音（例えば、ＦＡＸ通信音や操作音、処理の完了通知音、音声ガイダンスなど）はスピーカ２３から出力される。
【００４６】
一方、ＵＩ操作がリモート端末３０のＵＩ操作画面上での操作であれば（Ｓ２０１のＹｅｓ）、制御部は、スピーカ２３から出力される音データを、ＵＩ操作を行ったリモート端末３０に転送し、必要に応じて、自装置のスピーカ２３の出力設定をＯＦＦにする制御を実施する（Ｓ２０２）。その結果、図７（ｃ）に示すように、ＵＩ操作に応じた処理を実行する際に出力される音はＵＩ操作を行ったリモート端末３０から出力され、必要に応じて画像処理装置１０からは出力されないようになる。
【００４７】
その後、制御部は、リモート端末３０がリモート操作を解除したことを検知したら（Ｓ２０３のＹｅｓ）、スピーカ２３の出力設定をＯＮにし、自装置での音出力禁止状態を解除する（Ｓ２０４）。
【００４８】
なお、画像処理装置１０が、リモート端末３０のＵＩ操作画面で指示された処理（例えば、ＦＡＸ）の他に、画像処理装置１０のＵＩ操作画面で指示された処理（例えば、コピー）を実行している場合は、画像処理装置１０のスピーカ２３の出力設定をＯＦＦする制御に代えて、リモート端末３０から指示された処理（例えば、ＦＡＸ）以外の処理（例えば、コピー）に応じた音をスピーカ２３から出力させてもよい。つまり、画像処理装置１０のＵＩ操作画面で指示された処理に応じた音をスピーカ２３から出力させつつ、リモート端末３０から指示された処理に応じた音をスピーカ２３から出力させない制御を行っても良い。
【００４９】
このように、本実施例の画像処理システムでは、リモート端末３０のスピーカ３８から処理に応じた音を出力させることにより、リモート端末３０を操作しているユーザが画像処理装置１０から離れた場所にいる場合でも、画像処理装置１０で実行している処理の状態を確実に把握することができる。その結果、画像処理装置１０に出向いて処理の状態を確認する手間を省くことができ、ユーザの利便性を向上させることができる。また、リモート端末３０から指示された処理に応じた音は画像処理装置１０のスピーカ２３から出力させないことにより、リモート端末３０及び画像処理装置１０の双方から音が出力されることによる混乱を未然に防止することができ、更に、画像処理装置１０の近くにいるユーザに迷惑をかけることがなくなり、ユーザの利便性を向上させることができる。
【実施例２】
【００５０】
次に、本発明の第２の実施例に係る画像処理システム及び画像処理装置並びにリモート端末について、図８乃至図１２を参照して説明する。図８及び図９は、リモート端末及び画像処理装置の処理を示すフローチャート図であり、図１０乃至図１２は、リモート端末及び画像処理装置の処理を模式的に示す図である。
【００５１】
前記した第１の実施例では、画像処理装置１０のスピーカ２３から出力される音をリモート端末３０から出力させるようにして、ユーザが画像処理装置１０から離れた場所にいる場合でも画像処理装置１０で実行される処理の状況を把握できるようにしたが、音だけでは、画像処理装置１０で実行される処理の詳細な状況を十分に把握できない場合もある。例えば、ＦＡＸ送信を行う場合、ＦＡＸ送信状況（ＦＡＸ送信の進行度合いなど）を表示部２１に表示することができるが、第１の実施例では、リモート端末３０ではＦＡＸ送信状況を目視により確認することができないため、ユーザは処理の詳細な状況を十分に把握できない。そこで、本実施例では、処理に応じて画像処理装置１０の表示部２１に表示される画面をリモート端末３０の表示部３６に表示させるようにする。
【００５２】
その場合、画像処理装置１０及びリモート端末３０の基本構成は第１の実施例の図２及び図３と同様であるが、画像処理装置１０の制御部は、自装置に表示したＵＩ操作画面から処理を指示された場合は、処理に応じた音や声をスピーカ２３から出力させると共に、若しくは音や声をスピーカ２３から出力させる代わりに、処理の状況を知らせる画面を自機の表示部２１に表示させる。また、画像処理装置１０の制御部は、リモート端末３０のＵＩ操作画面から処理を指示された場合は、処理に応じた音データと共に、若しくは音データに代えて、処理の状況を知らせる画面の情報をリモート端末３０に転送し、リモート端末３０の制御部は、処理に応じた音や声をスピーカ３８から出力させると共に、若しくは音や声をスピーカ３８から出力させる代わりに、受信した情報に基づいて表示部３６に画面を表示させる制御を行う。すなわち、本実施例では、画像処理装置１０及びリモート端末３０の表示部及びスピーカが通知を出力する出力部として機能する。
【００５３】
以下、本実施例の画像処理システムの動作について説明する。まず、本実施例のリモート端末３０の動作について、図８のフローチャート図及び図１０の模式図を参照して説明する。リモート端末３０の制御部は、ＣＰＵ３１がＲＯＭ３２やＨＤＤなどの記憶部３４に記憶された制御プログラムを実行することにより、図８のフローチャートに示す処理を実現する。
【００５４】
ユーザは、操作部３７を操作して、画像処理装置用のアプリケーションを起動させる。例えば、第１の実施例と同様にアプリケーションの一覧画面を表示させ、図１０（ａ）に示すように、その中から画像処理装置１０に実行させる機能（ここでは、図の○で囲んだＦＡＸ機能）を選択する。リモート端末３０の制御部は、ＦＡＸ機能が選択されたことを検知したら（Ｓ３０１のＹｅｓ）、画像処理装置１０に使用可能な回線有無の問い合わせを行う（Ｓ３０２）。
【００５５】
使用可能回線がない場合は（Ｓ３０３のＮｏ）、制御部は、各々の回線の使用状況や使用可能回線がないこと知らせるメッセージなどが記述された画面情報を画像処理装置１０から受け取り、当該画面（図１０（ｂ）参照）を表示部３６に表示させる。一方、使用可能回線がある場合は（Ｓ３０３のＹｅｓ）、制御部は、使用可能回線を使用して画像処理装置１０に実行させる処理に関する設定画面情報を画像処理装置１０から受け取り、当該設定画面（図１０（ｃ）参照）を表示部３６に表示させる。
【００５６】
そして、ユーザは、操作部３７を操作して、宛先を設定（電話帳から選択、又は、電話番号を直接入力）したり、ＦＡＸ送信するファイルを設定（一覧から選択、又は、ファイル名を直接入力）したりする。その後、ユーザが上記設定画面のSTARTボタンなどを押下するなどして通信開始を指示すると、制御部は、画像処理装置１０との通信を開始し（Ｓ３０４のＹｅｓ）、画像処理装置１０からＦＡＸ通信の音データや通信状況の画面情報を受信する（Ｓ３０５）。
【００５７】
次に、制御部は、スピーカ３８の出力設定を判定する（Ｓ３０６）。スピーカ３８の出力設定がＯＮになっている場合は、図１０（ｄ）に示すように、制御部は、ＦＡＸ通信音をスピーカ３８から出力させると共に、通信状況の画面を表示部３６に表示させる（Ｓ３０７）。一方、スピーカ３８の出力設定がＯＦＦになっている場合は、制御部は、通信状況の画面を表示部３６に表示させる（Ｓ３０８）。そして、制御部は、ＦＡＸ通信を監視し（Ｓ３０９）、ＦＡＸ通信が終了するまで、Ｓ３０６に戻って、ＦＡＸ通信音の出力や通信状況の表示を継続／更新し、図１０（ｅ）に示すように、ＦＡＸ通信が終了したら、一連の処理を終了する。なお、スピーカ３８の出力設定は、リモート端末のユーザにより予めＯＮまたはＯＦＦに設定されている。
【００５８】
次に、本実施例の画像処理装置１０の動作について、図９のフローチャート図及び図１１の模式図を参照して説明する。画像処理装置１０の制御部は、ＣＰＵ１１がＲＯＭ１２やＨＤＤなどの記憶部１４に記憶された制御プログラムを実行することにより、図９のフローチャートに示す処理を実現する。
【００５９】
第１の実施例と同様に、画像処理装置１０の制御部は、リモート端末３０との無線接続（図示省略）を行い、ＵＩ操作画面の操作を検知したら、そのＵＩ操作がリモート端末３０のＵＩ操作画面上での操作であるかを判断する。ＵＩ操作が自装置の表示部２１のＵＩ操作画面上での操作であれば、そのＵＩ操作に応じた処理を実行する。その際、自装置の表示部２１でのＵＩ操作に応じた処理を実行する際に出力される音（例えば、ＦＡＸ通信音や操作音、処理の完了通知音、音声ガイダンスなど）をスピーカ２３から出力させ、処理の状況を知らせる画面を表示部２１に表示させる。具体的には、自装置においてＦＡＸ送信が指示された場合には、制御部は、その指示に基づいて処理されるＦＡＸ通知音をスピーカ２３から出力させると同時に、ＦＡＸ通信の実行状況を示す画面（例えば図１０（ｄ）の様な画面）を表示部２１に表示させる。
【００６０】
一方、リモート端末３０のＵＩ操作画面上での操作（ここでは、ＦＡＸの指示）であれば、図１１（ａ）に示すように、必要に応じて、自装置のスピーカ２３の出力設定をＯＦＦにする。また、リモート端末３０によってリモート操作されている時に、画像処理装置１０からは操作できないようにする場合は、必要に応じて、自装置の表示部２１をＯＦＦにする。
【００６１】
次に、制御部は、リモート端末３０から使用可能回線の有無の問い合わせを受信したら（Ｓ４０１のＹｅｓ）、使用可能回線があるかを判断し（Ｓ４０２）、図１１（ｂ）に示すように、使用可能回線の有無をリモート端末３０に通知する。使用可能回線がない場合は、各々の回線の使用状況や使用可能回線がないこと知らせるメッセージなどが記述された画面情報をリモート端末３０に送信して使用不可を通知し（Ｓ４０４）、一連の処理を終了する。
【００６２】
一方、使用可能回線がある場合は、制御部は、使用可能回線を使用するための設定画面情報をリモート端末３０に送信する（Ｓ４０３）。そして、制御部は、リモート端末３０からＦＡＸ通信の開始指示を受信したら（Ｓ４０５のＹｅｓ）、図１１（ｃ）に示すように、リモート端末３０からの指示に応じて使用されている回線のＦＡＸ通信音の音データや通信状況を知らせる画面の情報をリモート端末３０に送信する（Ｓ４０６）。そして、制御部は、ＦＡＸ通信の終了を監視し（Ｓ４０７）、ＦＡＸ通信が終了するまで、Ｓ４０６に戻って、ＦＡＸ通信音の音データや通信状況の画面情報をリモート端末３０に送信し、ＦＡＸ通信が終了したら、一連の処理を終了する。
【００６３】
なお、本実施例でも、画像処理装置１０が、リモート端末３０のＵＩ操作画面で指示された処理（例えば、ＦＡＸ）の他に、画像処理装置１０のＵＩ操作画面で指示された処理（例えば、コピー）を実行している場合は、画像処理装置１０のスピーカ２３の出力設定をＯＦＦにせず、リモート端末３０から指示された処理（例えば、ＦＡＸ）以外の処理（例えば、コピー）に応じた音をスピーカ２３から出力させてもよい。つまり、画像処理装置１０のＵＩ操作画面で指示された処理に応じた音をスピーカ２３から出力させつつ、リモート端末３０から指示された処理に応じた音をスピーカ２３から出力させない制御を行っても良い。同様に、画像処理装置１０の表示部２１をＯＦＦにせず、リモート端末３０から指示された処理（例えば、ＦＡＸ）以外の処理（例えば、コピー）に応じた画面を表示部２１に表示させてもよい。つまり、画像処理装置１０のＵＩ操作画面で指示された処理に応じた画面を表示部２１に表示させつつ、リモート端末３０から指示された処理に応じた画面を表示部２１に表示させない制御を行っても良い。より具体的には、画像処理装置１０とリモート端末３０から異なる回線を使ったＦＡＸ送信が指示された場合に、画像処理装置１０からの指示に関するＦＡＸ送信の実行状況を示す画面を表示部２１に表示させつつ、リモート端末３０からの指示に関するＦＡＸ送信の実行状況を示す画面を表示部２１に表示させない制御を行っても良い。
【００６４】
このように、本実施例の画像処理システムでは、リモート端末３０の表示部３６に、リモート端末３０のＵＩ操作画面で指示された処理に応じた画面を表示させたり、スピーカ３８から処理に応じた音を出力させたりすることにより、リモート端末３０を操作しているユーザが画像処理装置１０から離れた場所にいる場合でも、画像処理装置１０で実行している処理の状態を確実に把握することができる。その結果、画像処理装置１０に出向いて処理の状態を確認する手間を省くことができ、ユーザの利便性を向上させることができる。また、リモート端末３０から指示された処理に応じた音は画像処理装置１０のスピーカ２３から出力させないことにより、リモート端末３０及び画像処理装置１０の双方から音が出力されることによる混乱を未然に防止することができ、更に、画像処理装置１０の近くにいるユーザに迷惑をかけることがなくなり、ユーザの利便性を向上させることができる。
【００６５】
上記実施例では、１台のリモート端末３０が画像処理装置１０をリモート操作する場合について説明したが、複数台のリモート端末３０が画像処理装置１０をリモート操作する場合についても同様に適用することができる。例えば、図１２に示すように、ＦＡＸ通信が可能な回線が複数（ここではＮ回線）ある場合において、複数台（ここではＮ台）のリモート端末３０がそれぞれ異なる回線に関するリモート操作を行っている場合、各々のリモート端末３０に使用回線に応じたＦＡＸ通信音を出力させたり、使用回線に応じた通信状況の通知画面を表示させたりすることができる。
【００６６】
具体的には、リモート端末Ａには使用回線１のＦＡＸ通信音のみを出力させたり、使用回線１の通信状況の通知画面のみを表示させたりし、リモート端末Ｂ、Ｃには使用回線１のＦＡＸ通信音や通信状況の通知画面を出力させずに、リモート端末Ｂには回線２、リモート端末Ｃには回線４のＦＡＸ通信音や通信状況の通知画面を出力させる。このような制御を行うことにより、複数台のリモート端末３０を用いて画像処理装置１０をリモート操作する場合であっても、ユーザは、自分が利用するリモート端末で指示した処理に関する通知と、他のリモート端末で指示した処理に対する通知との混同を未然に防止することができ、ユーザの利便性を向上させることができる。
【００６７】
なお、本発明は上記実施例に限定されるものではなく、本発明の趣旨を逸脱しない限りにおいて、その構成や制御方法は適宜変更可能である。
【００６８】
例えば、上記各実施例では、画像処理装置１０から取得した音データや画面情報に基づいて、リモート端末３０上で音の出力や画面の表示を行う構成としたが、リモート端末３０が、画像処理装置１０から処理の状況を示す情報を取得し、その情報に基づいて音や画面を生成し、リモート端末３０で生成した音を出力したり、リモート端末３０で生成した画面を表示したりすることもできる。
【００６９】
また、上記各実施例では、画像処理装置１０が提供するＵＩ操作画面をリモート端末３０に表示してリモート操作を行う構成としたが、リモート端末３０自身が生成した操作画面でリモート操作を行う場合も、操作に応じた指示情報を画像処理装置１０に送信することにより、本発明の制御を同様に適用することができる。
【００７０】
また、上記各実施例では、リモート端末３０でＦＡＸ装置やＭＦＰなどの装置をリモート操作する場合について記載したが、処理に応じた音の出力や画面の表示を行う任意の装置をリモート操作する場合に対して、本発明の制御を同様に適用することができる。
【産業上の利用可能性】
【００７１】
本発明は、処理に応じた音を出力したり、処理状況を知らせる画面を表示したりする処理装置、特にＦＡＸ装置やＭＦＰなどの画像処理装置、及び、当該処理装置をリモート操作するリモート端末、並びに、処理装置とリモート端末が無線接続された処理システムに利用可能である。
【符号の説明】
【００７２】
１０  画像処理装置
１１  ＣＰＵ
１２  ＲＯＭ
１３  ＲＡＭ
１４  記憶部
１５  ネットワークＩ／Ｆ部
１６  補助記憶装置Ｉ／Ｆ部
１７  無線ＬＡＮモジュール
１８  読取部
１９  画像処理部
２０  ファクシミリ部
２１  表示部
２２  操作部
２３  スピーカ
３０  リモート端末
３１  ＣＰＵ
３２  ＲＯＭ
３３  ＲＡＭ
３４  記憶部
３５  無線ＬＡＮモジュール
３６  表示部
３７  操作部
３８  スピーカ
【図１】
2014192703.tif 000003
【図２】
2014192703.tif 000004
【図３】
2014192703.tif 000005
【図４】
2014192703.tif 000006
【図５】
2014192703.tif 000007
【図６】
2014192703.tif 000008
【図７】
2014192703.tif 000009
【図８】
2014192703.tif 000010
【図９】
2014192703.tif 000011
【図１０】
2014192703.tif 000012
【図１１】
2014192703.tif 000013
【図１２】
2014192703.tif 000014